(57)【要約】【課題】  施工性の向上及びコストの低減が図れるドア装置を提供する。【解決手段】  建物の開口部に設けられる枠２と、該枠２に開閉可能に設けられた扉４とを備え、前記枠２又は枠２に設けられた袖部５に電気錠１０又は手動錠を設け、扉４に前記電気錠１０又は手動錠のデッドボルト１１が係合する受座１２を設けている。枠２又は袖部５の室内面に凹部２０を設け、該凹部２０に前記電気錠１０又は手動錠を室内側から施解錠するサムターン１４を設けている。【選択図】          図３
2006214173.tif 000002
【特許請求の範囲】
【請求項１】
建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設けたことを特徴とするドア装置。
【請求項２】
建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に凹部を設け、該凹部に前記電気錠又は手動錠を室内側から施解錠するサムターンを設けたことを特徴とするドア装置。
【請求項３】
建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に凹部を設け、該凹部に前記電気錠又は手動錠を室内側から施解錠するサムターンを設けると共に、該サムターンを覆う蓋を開閉可能に設けたことを特徴とするドア装置。
【請求項４】
建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に前記電気錠又は手動錠を施解錠するサムターンを設けると共に、該サムターンと扉の間にサムターン回しの障害となる障壁部を設けたことを特徴とするドア装置。
【請求項５】
建物の開口部に設けられる枠と、該枠に開閉可能に設けられた扉とを備え、前記枠又は枠に設けられた袖部にリモートコントロール装置及び鍵の何れでも施解錠可能な電気錠又は手動錠を設け、扉に前記電気錠又は手動錠のデッドボルトが係合する受座を設け、前記枠又は袖部の室外面に、前記電気錠又は手動錠のシリンダー部を覆い隠すカバー部材を開閉可能に設けたことを特徴とするドア装置。
【発明の詳細な説明】
【技術分野】
【０００１】
本発明は、ドア装置に係り、特に電気錠又は手動錠を枠ないし袖部に配置することにより施工性の向上等を図ったドア装置に関する。
【背景技術】
【０００２】
従来のこの種のドア装置においては、建物の開口部に設けられる枠と、該枠に開閉可能に設けられた扉とを備え、前記扉に電気錠又は手動錠を設け、枠に前記電気錠又は手動錠のデッドボルトが係合する受座を設けて構成されている（例えば特開平７−９１１５２号公報参照）。扉は、フラッシュドアの場合、方形枠状の芯材の両面に薄い金属製の面材を張設し、扉の内部に断熱材を充填して構成される。一方、電気錠に通電するために、扉の内部に電線を通す通線配管が設けられると共に、扉内の電線と枠側の電線をつなぐ通電金具が設けられる。
【０００３】
【特許文献１】特開平７−９１１５２号公報
【発明の開示】
【発明が解決しようとする課題】
【０００４】
しかしながら、前記ドア装置においては、扉が金属製の薄い面材を張設してなる場合、扉に穴を開けて室外側からサムターンを回して電気錠が不正に開錠される恐れがあり、防犯性に劣る問題がある。また、電気錠を備えたドア装置においては、扉の内部に通線配管や通電金具を設けなければならないため、施工性及びメンテナンス性に劣ると共に、コストの増大を招く問題がある。
【０００５】
本発明は、上記事情を考慮してなされたものであり、防犯性の向上が図れるドア装置を提供することを目的とする。また、本発明は、施工性及びメンテナンス性の向上並びにコストの低減が図れるドア装置を提供することを目的とする。
【課題を解決するための手段】
【０００６】
本発明のうち、請求項１に係る発明は、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設けたことを特徴とする。
【０００７】
請求項２に係る発明は、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に凹部を設け、該凹部に前記電気錠又は手動錠を室内側から施解錠するサムターンを設けたことを特徴とする。
【０００８】
請求項３に係る発明は、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に凹部を設け、該凹部に前記電気錠又は手動錠を室内側から施解錠するサムターンを設けると共に、該サムターンを覆う蓋を開閉可能に設けたことを特徴とする。
【０００９】
請求項４に係る発明は、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に前記電気錠又は手動錠を施解錠するサムターンを設けると共に、該サムターンと扉の間にサムターン回しの障害となる障壁部を設けたことを特徴とする。
【００１０】
請求項５に係る発明は、建物の開口部に設けられる枠と、該枠に開閉可能に設けられた扉とを備え、前記枠又は枠に設けられた袖部にリモートコントロールスイッチ及び鍵の何れでも施解錠可能な電気錠又は手動錠を設け、扉に前記電気錠又は手動錠のデッドボルトが係合する受座を設け、前記枠又は袖部の室外面に、前記電気錠又は手動錠のシリンダー部を覆い隠すカバー部材を開閉可能に設けたことを特徴とする。
【発明の効果】
【００１１】
本発明によれば、次のような効果を奏することができる。
【００１２】
請求項１に係る発明によれば、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設けているため、枠又は袖部は一般的に厚さの厚い金属からなり、剛性が高く、枠又は袖部に穴を開けて室外側からサムターンを回して電気錠又は手動錠が不正に開錠される恐れがなく、防犯性の向上が図れる。また、枠又は袖部に電気錠を設けることにより、通線配管や通電金具の取付け及びこれらへの電線の挿通作業が不要となり、施工性及びメンテナンス性の向上並びにコストの低減が図れる。
【００１３】
請求項２に係る発明によれば、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に凹部を設け、該凹部に前記電気錠又は手動錠を室内側から施解錠するサムターンを設けているため、請求項１に係る発明と同様の効果が得られる他に、見込み寸法の大きい枠又は袖部に対して既存の電気錠又は手動錠及びサムターンが使え、コストの低減が図れる。
【００１４】
請求項３に係る発明によれば、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に凹部を設け、該凹部に前記電気錠又は手動錠を室内側から施解錠するサムターンを設けると共に、該サムターンを覆う蓋を開閉可能に設けているため、請求項２に係る発明と同様の効果が得られる他に、蓋によりサムターン回しを防止することができ、防犯性の更なる向上が図れる。
【００１５】
請求項４に係る発明によれば、建物の開口部に設けられる枠と、該枠に開閉可能に設けられた扉とを備え、前記枠又は枠に設けられた袖部に電気錠又は手動錠を設け、扉に前記電気錠又は手動錠のデッドボルトが係合する受座を設け、前記枠又は袖部の室内面に前記電気錠又は手動錠を施解錠するサムターンを設けると共に、該サムターンと扉の間にサムターン回しの障害となる障壁部を設けているため、請求項１に係る発明と同様の効果が得られる他に、障壁部によりサムターン回しを防止することができ、防犯性の更なる向上が図れる。
【００１６】
請求項５に係る発明によれば、建物の開口部に設けられる枠と、該枠に開閉可能に設けられた扉とを備え、前記枠又は枠に設けられた袖部にリモートコントロール装置及び鍵の何れでも施解錠可能な電気錠又は手動錠を設け、扉に前記電気錠又は手動錠のデッドボルトが係合する受座を設け、前記枠又は袖部の室外面に、前記電気錠又は手動錠のシリンダー部を覆い隠すカバー部材を開閉可能に設けているため、請求項１に係る発明と同様の効果が得られる他に、シリンダー部がカバー部材により覆い隠されているので、ピッキングによる不正開錠を防止でき、防犯性の更なる向上が図れると共に意匠性の向上が図れる。
【発明を実施するための最良の形態】
【００１７】
以下に、本発明を実施するための最良の形態について、添付図面を基に詳述する。図１は本発明に係るドア装置の第１実施形態を概略的に示す室外側正面図、図２は図１のＡ−Ａ線概略断面図、図３は図１のＢ−Ｂ線概略断面図、図４はドア装置の室内側を概略的に示す図で、（ａ）は正面図、（ｂ）は斜視図である。
【００１８】
これらの図において、１は建物の開口部に設けられるドア装置例えば玄関ドアで、このドア装置１は、枠２と、該枠２に蝶番３を介して回動、開閉可能に設けられた扉４とを備えている。なお、扉を回動可能に支持する手段としては、蝶番以外に例えば吊り金物であっても良い。本実施形態のドア装置１においては、意匠性の向上を図る（豪華に見せる）ために、枠２に袖部５が一体又は別体で設けられている。
【００１９】
枠２は、例えば厚さの厚い金属からなる剛性の高い上枠２ａ、下枠２ｂ及び左右の縦枠２ｃ，２ｄからなり、その枠２内の一側である戸先側の縦枠２ｃの内側には袖部５が一体又は別体（図示例では一体のものが示されている）で設けられている。袖部５は、枠２と同様に厚さの厚い金属からなり、例えば内部が中空の袖パネルからなっている。袖部５ないし袖パネルの内部には断熱材が充填されていることが好ましい。
【００２０】
ドア本体である扉４は、例えば方形に組まれる芯材の表面及び裏面に金属製の面材を張設し、内部に断熱材を充填して構成されている（図示省略）。この扉４にはこれを開閉操作するための把手６が設けられると共に、鍵のかからないラッチ（空錠ともいう）７が設けられている。ラッチ７は錠面（扉の戸先端面）からスプリングにより自由に突出するように付勢され、押し沈めることが可能なラッチボルト（空締ボルト）（図示省略）を有し、枠２又は袖部５（図示例では袖部）にはラッチボルトが係合（嵌入）することにより扉４を閉位置に保持する受座８が設けられている。ラッチ７は、把手６の回動によりラッチボルトを突出位置から箱内に引っ込めることにより受座８から離脱させ、扉４を開けることができる。
【００２１】
前記枠２又は袖部５（図示例では袖部）には電気錠１０が設けられ、扉４には前記電気錠１０のデッドボルト（本締ボルト）１１が係合する受座１２が設けられている。図示例の電気錠１０は箱内に電動によりデッドボルト１１を錠面（この場合、袖部の内端面）から突没させる電動部を有している（図示省略）。電気錠１０は、リモートコントロールスイッチ等により遠隔操作で施解錠できるようになっていると共に、停電時にも手動で施解錠できるように袖部５の室外側には鍵で施解錠するためのシリンダー部１３が設けられ、また、袖部５の室内側にはサムターン１４が設けられている。
【００２２】
サムターン１４は、台座１４ａと、該台座１４ａに回動可能に設けられた摘み１４ｂと、該摘み１４ｂの回動を電気錠１０に伝える回動軸１４ｃとから主に構成されている。室外側からリモートコントロールスイッチにより電気錠１０を施解錠するために、例えば袖部５の室外面側にはリモートコントロールスイッチ（送信部）からの信号を受信する受信部が設けられている（図示省略）。
【００２３】
図示例では、防犯性の向上を図るために、前記電気錠１０が複数、例えば上下に２個設けられている。また、袖部５の室外面には、上方に照明灯１５、略中間位置にインターホン１６、下方に新聞受け１７がそれぞれ設けられている。前記電気錠１０を始めとするこれら照明灯１５やインターホン１６などの電気機器に電気や電気信号を送るための電線（配線ケーブル）１８が室内側上方の電源ユニット１９から中空の袖部５の内部を通して配線されている。
【００２４】
枠２又は袖部５の見込み寸法（厚さ）は扉４の見込み寸法よりも大きいため、扉４に設けられる既存の電気錠１０及びサムターン１４を枠２又は袖部５に使用しようとする場合、サムターン１４の回動軸１４ｃの長さが足りず、既存のサムターンを使用することが困難である。そこで、既存の電気錠及びサムターン（既存のものと同一仕様のものを含む）の使用を可能とするために、枠２又は袖部５の室内面には凹部２０が設けられ、該凹部２０にサムターン１４が設けられている。
【００２５】
凹部２０は上下のサムターン１４が個々に入るように個々に設けられていても良く、或いは、図４に示すように上下のサムターン１４が一緒に入るように縦長の溝状に設けられていても良い。サムターン１４は凹部２０の底面に取付けられて凹部２０内に収容されている。サムターン１４は凹部２０から室内側に一部が突出していても良い。
【００２６】
以上の構成からなるドア装置１によれば、建物の開口部に設けられる枠２と、該枠２に開閉可能に設けられた扉４とを備え、前記枠２又は枠２に設けられる袖部５に電気錠１０を設け、扉４に電気錠１０のデッドボルト１１が係合する受座１２を設けているため、扉側に電気錠を設けている従来のドア装置と異なり通線配管や通電金具の取付け及びこれらへの電線の挿通作業や接続作業が不要となり、施工性及びメンテナンス性の向上並びにコストの低減が図れる。また、枠２又は袖部５は一般的に厚さの厚い金属からなり、剛性が高いため、枠２又は袖部５に穴を開けて室外側からサムターン１４を回して電気錠１０が不正に開錠される恐れがなく、防犯性の向上が図れる。
【００２７】
また、枠２又は袖部５の室内面に凹部２０を設け、該凹部２０に前記電気錠１０を室内側から施解錠するサムターン１４を設けているため、見込み寸法の大きい枠２又は袖部５に対して既存の電気錠及びサムターンを使用することができ、コストの更なる低減が図れる。また、サムターン１４が凹部２０に収容されているため、扉４に穴を開けて室外側からサムターン１４を回して電気錠１０を不正に解錠しようとしても、サムターン１４が回しにくく、防犯性の向上が図れる。
【００２８】
図５はドア装置の第２実施形態を概略的に示す室内側正面図、図６は図５の横断面図である。本実施の形態において、前記実施の形態と同一部分は同一符号を付して説明を省略する。本実施の形態では、サムターン回しを防止するために、枠２又は袖部５（図示例では袖部）の室内面には凹部２０の上面ないしサムターン１４を覆う蓋２１が蝶番２２を介して開閉可能に設けられている。本実施の形態のドア装置１によれば、前記第１実施形態と同様の効果が得られる他に、サムターン１４を覆う蓋２１が開閉可能に設けられているため、蓋２１によりサムターン回しを防止することができ、防犯性の更なる向上が図れる。
【００２９】
図７はドア装置の第３実施形態を示す横断面図である。本実施の形態において、前記実施の形態と同一部分は同一符号を付して説明を省略する。本実施の形態においては、枠２又は袖部５の室内面にはサムターン１４を設けるための凹部が設けられておらず、見込み寸法の大きい枠２又は袖部５（図示例では袖部）の室内面にサムターン１４が設けられている。この場合、サムターン１４は前記実施の形態のような回動軸の短い既存のものとは異なり回動軸１４ｃを長く加工したものが用いられる。
【００３０】
枠２又は袖部５の室内面より突出したサムターン１４に対する不正なサムターン回しを防止するために、枠２又は袖部５の室内面にはサムターン１４を覆う蓋２１が蝶番２２を介して開閉可能に設けられている。この蓋２１は枠２又は袖部５の室内面から突出したサムターン１４全体を収容して覆い被せることが可能なように見込み寸法ないし深さの大きい横断面略Ｕ字状の容器状に形成されている。本実施の形態のドア装置によれば、前記第２実施形態と同様、サムターン回しを防止することができる。
【００３１】
図８はドア装置の第４実施形態を概略的に示す室内側正面図、図９は図８の要部横断面図である。本実施の形態において、前記実施の形態と同一部分は同一符号を付して説明を省略する。本実施の形態のドア装置１においても枠２又は袖部５の室内面にはサムターン１４を設けるための凹部２０が設けられておらず、見込み寸法の大きい枠２又は袖部５の室内面にサムターン１４が設けられている。本実施の形態では、サムターン回しを防止するために、枠２又は袖部５（図示例では袖部）の室内面にはサムターン１４と扉４の間にサムターン回しの障害となる障壁部２３が設けられている。この障壁部２３は、袖部５の室内面からサムターン１４と略同じ突出高さで壁状に立ち上がって設けられている。障壁部２３は扉４側の横方向及び上下方向からのサムターン回しに対処し得るように正面略コ字状ないし略逆コ字状に形成されていることが好ましい。本実施の形態のドア装置によれば、前記第２実施形態と同様、サムターン回しを防止することができる。
【００３２】
図１０はドア装置の第５実施形態を概略的に示す室外側正面図、図１１は図１０の横断面図、図１２は図１１における外部シリンダカバーを開けた状態を示す要部横断面図である。本実施の形態において、前記実施の形態と同一部分は同一符号を付して説明を省略する。前記枠２又は袖部５（図示例では袖部）の室外面には、前記電気錠１０のシリンダー部１３を覆い隠すカバー部材２４が開閉可能に設けられている。カバー部材２４としては、不透明な板材例えば金属板が好ましい。カバー部材２４の一側部が袖部５の室外面に蝶番２５を介して回動可能に取付けられている。
【００３３】
カバー部材２４は、図示例では閉時に袖部５の室外面に当接されてカバー部材２４を袖部５の室外面と略平行に保持するための脚部２６が設けられているが、例えばカバー部材２４の周縁部が閉時に袖部５の室外面に当接されるように立ち上がった蓋状に形成されていても良い。なお、カバー部材２４には電気錠１０をリモートコントロールスイッチにより施解錠するための受信部が設けられていても良い（図示省略）。本実施の形態のドア装置１によれば、前記第１実施形態と同様の効果が得られる他に、シリンダー部１３がカバー部材２４により覆い隠されているので、ピッキングによる不正開錠を防止でき、防犯性の更なる向上が図れると共に意匠性の向上が図れる。
【００３４】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。例えば、前記実施の形態では枠に袖部を有するドア装置に本発明を適用した例が示されているが、本発明は枠に袖部を有しないドア装置にも適用可能である。この場合、枠例えば縦枠に電気錠が設けられる。電気錠としては、鎌形のデッドボルトを受座に係合させる鎌錠であっても良い。本発明における電気錠には、錠操作で外出時の警備信号をセキュリティー機器（インターホン等）に伝える電気信号錠（警備信号錠）も含まれる。また、本発明においては、枠又は袖部に設けられる錠としては電気錠に限定されず、手動錠(手動式の本締錠)であっても良い。
【図面の簡単な説明】
【００３５】
【図１】本発明に係るドア装置の第１実施形態を概略的に示す室外側正面図である。
【図２】図１のＡ−Ａ線概略断面図である。
【図３】図１のＢ−Ｂ線概略断面図である。
【図４】ドア装置の室内側を概略的に示す図で、（ａ）は正面図、（ｂ）は斜視図である。
【図５】ドア装置の第２実施形態を概略的に示す室内側正面図である。
【図６】図５の横断面図である。
【図７】ドア装置の第３実施形態を示す横断面図である。
【図８】ドア装置の第４実施形態を概略的に示す室内側正面図である。
【図９】図８の要部横断面図である。
【図１０】ドア装置の第５施形態を概略的に示す室外側正面図である。
【図１１】図１０の横断面図である。
【図１２】図１１における外部シリンダカバーを開けた状態を示す要部横断面図である。
【符号の説明】
【００３６】
１  ドア装置
２  枠
４  扉
５  袖部
１０  電気錠
１１  デッドボルト
１２  受座
１３  シリンダー部
１４  サムターン
２０  凹部
２１  蓋
２３  障壁部
２４  カバー部材
【図１】
2006214173.tif 000003
【図２】
2006214173.tif 000004
【図３】
2006214173.tif 000005
【図４】
2006214173.tif 000006
【図５】
2006214173.tif 000007
【図６】
2006214173.tif 000008
【図７】
2006214173.tif 000009
【図８】
2006214173.tif 000010
【図９】
2006214173.tif 000011
【図１０】
2006214173.tif 000012
【図１１】
2006214173.tif 000013
【図１２】
2006214173.tif 000014